【手続補正書】
【提出日】平成30年3月24日(2018.3.24)
【手続補正１】
【補正対象書類名】特許請求の範囲
【補正対象項目名】全文
【補正方法】変更
【補正の内容】
【特許請求の範囲】
【請求項１】
サーバからユーザ端末へのデータ伝送の削減方法であって、
（ｉ）１つまたは複数のウェブサイト、データベースまたは他のオンラインリソースからの、検索基準を満たす商品またはサービスについての検索結果に対する、ユーザ端末による要求を、サーバで受信するステップと、
（ｉｉ）前記検索基準を満たす商品またはサービスについて、前記１つまたは複数のウェブサイト、データベースまたは他のオンラインリソースを、前記サーバが検索するステップと、
（ｉｉｉ）前記検索基準を満たす商品またはサービスについての検索結果を、前記サーバで収集するステップと、
（ｉｖ）前記収集された商品またはサービス検索結果のパレート最適化されたサブセットを識別するように、前記収集された商品またはサービス検索結果を、前記サーバで処理するステップと、
（ｖ）前記収集された商品またはサービス検索結果の代わりに、前記収集された商品またはサービス検索結果の前記パレート最適化されたサブセットを前記ユーザ端末に伝送するステップと
を含む、方法。
【請求項２】
前記パレート最適化されたサブセットが、元のパレート最適化されたサブセットのサンプルである、請求項１に記載の方法。
【請求項３】
前記パレート最適化が、例えば、価格対品質（または価格対ペイン）といった２軸ドメインにおいてパレートフロントを決定することに、最適化問題を分解することを必要とする、請求項１または２に記載の方法。
【請求項４】
前記パレートフロント上のアイテムを識別するための幾何学的アプローチが、「最善」である前記商品及びサービスの単一の例を識別するのに使用される、請求項３に記載の方法。
【請求項５】
前記幾何学的アプローチが、一方の軸（通常は、価格）上の前記目的の値を、他方の軸（例えば、品質）上のアイテム単位あたり最小化することを含む、請求項４に記載の方法。
【請求項６】
最適化プロセスにより生成された前記「最善」の商品またはサービスのそうしたセットのみが、エンドユーザのコンピューティングデバイス上に表示されて、前記エンドユーザがそうした「最善」のセットを閲覧でき、そうした「最善」のセット内にない他のアイテムは表示されない、請求項１乃至５のいずれか１項に記載の方法。
【請求項７】
前記「最善」のセットが、例えば、エンドユーザにより開始されるプロセスによって切り捨てられてよく、前記最適化プロセス（例えば、パレート最適化）により生成される「次善」のセットがその後に表示される、請求項６に記載の方法。
【請求項８】
異なる目的のそれぞれに与えられる重み付けまたは重要度が、特定のユーザの履歴または人口統計的プロファイルに応じて、自動的に変化され得る、請求項１乃至７のいずれか１項に記載の方法。
【請求項９】
前記ユーザが、購入のために商品またはサービスを見た際に、以前にどのように対話したかを機械学習システムが考察する、請求項８に記載の方法。
【請求項１０】
異なる目的のそれぞれに与えられる前記重み付けまたは重要度が、自動的に、検索される前記商品またはサービスの属性に応じて変化され得る、請求項１乃至９のいずれか１項に記載の方法。
【請求項１１】
異なる目的のそれぞれに与えられる前記重み付けまたは重要度が、報告されるデータに応じて、自動的に変化され得る、請求項１乃至１０のいずれか１項に記載の方法。
【請求項１２】
異なる目的のそれぞれに与えられる前記重み付けまたは重要度が、他のユーザの挙動に基づいて、自動的に変化され得る、請求項１乃至１１のいずれか１項に記載の方法。
【請求項１３】
異なる目的のそれぞれに与えられる前記重み付けまたは重要度が、ユーザが、様々な目的に対して様々な「重要度」の重み付けを適用または設定することにより、手動で変化され得る、請求項１乃至１２のいずれか１項に記載の方法。
【請求項１４】
前記エンドユーザのコンピュータが、様々な目的に関するスライダーバーを含むＵＩを表示し、前記エンドユーザが、スケールに沿って変化し得る重み付けを設定することが可能となる、請求項１３に記載の方法。
【請求項１５】
例えばウェブベースの価格比較サイトにおいて、フライト、ホテル、レンタカーのいずれかを推薦するのに適用される、請求項１乃至１４のいずれか１項に記載の方法。
【請求項１６】
オンライン上で購入され得、且つ、多数の競合する目的または属性により定義され得る、任意のタイプの商品またはサービスを推薦するのに適用される、請求項１乃至１５のいずれか１項に記載の方法。
【請求項１７】
専用の価格比較ウェブサイトなどの価格比較サービスにおいて実施され、その場合、最適のフライト及び／またはホテル及び／またはレンタカーの推薦が、そうしたウェブサイト上に直接提供され、前記エンドユーザが、その後に、前記フライト等を実際に購入するために、異なるウェブサイトに導かれる、請求項１乃至１６のいずれか１項に記載の方法。
【請求項１８】
汎用の検索エンジンウェブサイトにおいて実施される、請求項１乃至１７のいずれか１項に記載の方法。
【請求項１９】
顧客が様々な商品／サービスを閲覧及び購入できるウェブサイト（例えば、オンライン上の小売店）内で実施され、前記購入が、そうしたウェブサイト内で完全に行われる、請求項１乃至１８のいずれか１項に記載の方法。
【請求項２０】
ユーザ端末に接続可能なサーバであって、
（ｉ）１つまたは複数のウェブサイト、データベースまたは他のオンラインリソースからの、検索基準を満たす商品またはサービスについての検索結果に対する、ユーザ端末による要求を受信するように、
（ｉｉ）前記検索基準を満たす商品またはサービスについて、前記１つまたは複数のウェブサイト、データベースまたは他のオンラインリソースを検索するように、
（ｉｉｉ）前記検索基準を満たす商品またはサービスについての検索結果を収集するように、
（ｉｖ）前記収集された商品またはサービス検索結果のパレート最適化されたサブセットを識別するように、前記収集された商品またはサービス検索結果を処理するように、
（ｖ）前記収集された商品またはサービス検索結果の代わりに、前記収集された商品またはサービス検索結果の前記パレート最適化されたサブセットを前記ユーザ端末に伝送するように、
構成される、サーバ。
【請求項２１】
前記収集された商品またはサービス検索結果の代わりに、前記収集された商品またはサービス検索結果の前記パレート最適化されたサブセットを受け取る、請求項２０に記載のユーザ端末。
【請求項２２】
サーバ上で実行可能なコンピュータプログラム製品であって、前記コンピュータプログラム製品が、前記サーバ上で実施される場合に、前記サーバが、
（ｉ）１つまたは複数のウェブサイト、データベースまたは他のオンラインリソースからの、検索基準を満たす商品またはサービスについての検索結果に対する、ユーザ端末による要求を受信できるように、
（ｉｉ）前記検索基準を満たす商品またはサービスについて、前記１つまたは複数のウェブサイト、データベースまたは他のオンラインリソースを検索できるように、
（ｉｉｉ）前記検索基準を満たす商品またはサービスについての検索結果を収集できるように、
（ｉｖ）前記収集された商品またはサービス検索結果のパレート最適化されたサブセットを識別するように、前記収集された商品またはサービス検索結果を処理できるように、
（ｖ）前記収集された商品またはサービス検索結果の代わりに、前記収集された商品またはサービス検索結果の前記パレート最適化されたサブセットを前記ユーザ端末に伝送できるように、
構成される、コンピュータプログラム製品。
【請求項２３】
サーバ及び前記サーバと関連するユーザ端末を含むシステムであって、
（ｉ）前記サーバが、１つまたは複数のウェブサイト、データベースまたは他のオンラインリソースからの、検索基準を満たす商品またはサービスについての検索結果に対する、ユーザ端末による要求を受信するように構成され、
（ｉｉ）前記サーバが、前記検索基準を満たす商品またはサービスについて、前記１つまたは複数のウェブサイト、データベースまたは他のオンラインリソースを検索するように構成され、
（ｉｉｉ）前記サーバが、前記検索基準を満たす商品またはサービスについての検索結果を収集するように構成され、
（ｉｖ）前記サーバが、前記収集された商品またはサービス検索結果のパレート最適化されたサブセットを識別するように、前記収集された商品またはサービス検索結果を処理するように構成され、
（ｖ）前記サーバが、前記収集された商品またはサービス検索結果の代わりに、前記収集された商品またはサービス検索結果の前記パレート最適化されたサブセットを前記ユーザ端末に伝送するように構成される、システム。